(57)【特許請求の範囲】
【請求項１】
上部鏡板と中間胴板と下部鏡板とからなる内槽と、当該内槽の外側に位置する保冷層を介して囲繞する外槽屋根板と外槽側板と外槽底板とからなる外槽を有し、上記内槽及び外槽をスカートで基礎上に支持する縦置円筒形低温貯槽において、上記外槽屋根板は、最上部分に位置する天頂部屋根板と、当該天頂部屋根板を囲む残余の環状部分に位置する外周部屋根板とからなり、当該外周部屋根板は、長手一方向に沿って円弧状に曲げ加工した截頭略三角形状の曲板で、複数の当該曲板の隣接部が前記環状部分の曲率に沿う位置となるように溶接接合して前記外周部屋根板全体を多角形の環状体となるように形成し、前記天頂部屋根板の下部外周縁部と前記外周部屋根板の上部外周縁部を溶接接合することにより、外槽屋根板全体を多角形の傘形の外殻体に形成したことを特徴とする縦置円筒形低温貯槽の外槽傘型屋根の施工方法であって、
上記内槽の上部鏡板の天頂部に支持部材を載置し、上記外周部屋根板を構成する上記截頭略三角形状の曲板を、吊り具によって上記外槽側板上部に吊り込み、当該外槽側板上部と上記支持部材上部の間にアーチ状に設置し、上記外周部屋根板全体を構築後、当該外周部屋根板頂部に上記天頂部屋根板を載置し、当該天頂部屋根板と上記外周部屋根板を溶接接合して上記外槽屋根板全体を構築することを特徴とする縦置円筒形低温貯槽の外槽傘形屋根の施工方法。
【請求項２】
上記外周部屋根板の運搬、吊り上げ時において、
当該外周部屋根板を構成する上記截頭略三角形状の曲板の長手一方向中央部に曲率を保持する枠材を接合することを特徴とする
請求項１記載の縦置円筒形低温貯槽の外槽傘形屋根の施工方法。
【発明の詳細な説明】
【技術分野】
【０００１】
この発明は、液体窒素、液体酸素、ＬＮＧ等の低温液化ガス等を貯蔵する縦置円筒形低温貯槽の外槽傘形屋根の施工方法に関するものである。
【背景技術】
【０００２】
従来の縦置円筒形低温貯槽について、図１２と図１３に基づいて説明する。
図１２は、従来の縦置円筒形低温貯槽の第１事例で、内槽１は半球形状の内槽鏡板６と円筒形状の内槽胴板７を有し、保冷層３を介して、外槽２は半球形状の外槽屋根板９と円筒形状の外槽側板１０を有する構造である。
図１３は、従来の縦置円筒形低温貯槽の第２事例で、内槽１は半球形状の内槽鏡板６と円筒形状の内槽胴板７を有し、保冷層３を介して、外槽２は欠球形状の外槽屋根板９と円筒形状の外槽側板１０を有する構造である。
【０００３】
従来の縦置円筒形低温貯槽の発明には、例えば、本特許出願人に係る「縦置二重殻円筒形低温貯槽」特許第５０１３３５８号公報（特許文献１参照）の発明がある。
この特許文献１の発明（従来例の図１２に一部を紹介）は、半球形状の内槽鏡板と円筒形状の内槽胴板を有し、保冷層を介して、半球形状の外槽屋根板と円筒形状の外槽側板を有し、円筒形状のスカートで内槽及び外槽を基礎上に支持するとともに、半球形状の外槽屋根板の頂部中央部のセンターマンホールの周囲にのみ屋根散水装置をリング状に配置したものである。
【０００４】
また、本特許出願人に係る「縦置二重殻円筒形低温貯槽の外槽取付構造」特許第５３５４５１７号公報（特許文献２参照）の発明がある。
この特許文献２の発明（従来例の図１３に一部を紹介）は、円筒形状のスカートで内槽及び外槽を基礎上に支持するとともに、荷重と伝熱の集中化を排除するために、側板下部の外槽胴板の取付位置を外槽底板の取付位置より下方位置にずらして接続固定したものである。
【０００５】
「鋼製サイロ及びタンクの屋根形状」特許第２６７５２８３号公報（特許文献３参照）の従来技術の発明は、円筒状の側壁を有する鋼製のサイロ及びタンクにおいて、前記側壁の上端に保持される屋根形状が、前記側壁の水平断面に対して傾斜を有するように形成され、且つ、平面部材から構成されているものである。
【０００６】
「タンク球面部の製造方法」特許第３７０７１０２号公報（特許文献４参照）の発明があり、この特許文献４の発明は、平板状の鋼板にロールで球面状の反りを与えてから、鉄骨梁の上に配置して互いに溶接することにより、タンクの球面部を形成するものである。
【先行技術文献】
【特許文献】
【０００７】
【特許文献１】特許第５０１３３５８号公報
【特許文献２】特許５３５４５１７号公報
【特許文献３】特許第２６７５２８３号公報
【特許文献４】特許第３７０７１０２号公報
【発明の概要】
【発明が解決しようとする課題】
【０００８】
図１２に示した従来第１事例の縦置円筒形低温貯槽の外槽屋根板９は、鋼板をプレス加工し、曲率が一定の半球板に成形する作業に手間と費用を要していた。
また、図１３に示した従来第２事例の縦置円筒形低温貯槽の外槽屋根板９は、鋼板をプレス加工し、曲率が一定でない欠球板に成形する作業に手間と費用を要していた。
【０００９】
特許文献１「縦置二重殻円筒形低温貯槽」の発明は、前記従来例の図１２に示すように、半球形状の外槽屋根板と円筒形状の外槽側板を有するもので、外槽屋根板の形状が半球形状であり、外槽屋根から外槽側板にわたって均一に散水することを目的とした構造である。
【００１０】
特許文献２「縦置二重殻円筒形低温貯槽の外槽取付構造」の発明は、前記従来例の図１３に示すように、外槽屋根板の形状が欠球形状であり、外槽屋根板の構造や構築法に関するものでもない。
【００１１】
特許文献３「鋼製サイロ及びタンクの屋根形状」の発明は、屋根形状が側壁の水平断面に対して傾斜を有するように形成され、且つ平面部材から構成されているものであるが、屋根の形状が球面ではなく、縦置円筒形低温貯槽の外槽屋根に関するものでもない。
【００１２】
特許文献４「タンク球面部の製造方法」の発明は、平板状の鋼板にロールで球面状の反りを与えてから、鉄骨梁の上に配置して互いに溶接することにより、タンクの球面部を形成するものであるが、プレス加工せずに成形する縦置円筒形低温貯槽の外槽屋根板の構造に関するものではない。
【００１３】
この発明の目的は、上述のような従来技術が有する問題点に鑑みてなされたもので、縦置円筒形低温貯槽の外槽屋根部材の簡素化、および外槽屋根板の製作、組立て、構築作業に掛かる負担を軽減し、施工性と経済性に優れた縦置円筒形低温貯槽の外槽傘形屋根の施工方法を提供するものである。
【課題を解決するための手段】
【００１４】
請求項１の発明に係る縦置円筒形低温貯槽の外槽傘形屋根の施工方法は、
上部鏡板と中間胴板と下部鏡板とからなる内槽と、当該内槽の外側に位置する保冷層を介して囲繞する外槽屋根板と外槽側板と外槽底板とからなる外槽を有し、上記内槽及び外槽をスカートで基礎上に支持する縦置円筒形低温貯槽において、上記外槽屋根板は、最上部分に位置する天頂部屋根板と、当該天頂部屋根板を囲む残余の環状部分に位置する外周部屋根板とからなり、当該外周部屋根板は、長手一方向に沿って円弧状に曲げ加工した截頭略三角形状の曲板で、複数の当該曲板の隣接部が前記環状部分の曲率に沿う位置となるように溶接接合して前記外周部屋根板全体を多角形の環状体となるように形成し、前記天頂部屋根板の下部外周縁部と前記外周部屋根板の上部外周縁部を溶接接合することにより、外槽屋根板全体を多角形の傘形の外殻体に形成したことを特徴とする縦置円筒形低温貯槽の外槽傘型屋根の施工方法であって、
上記内槽の上部鏡板の天頂部に支持部材を載置し、上記外周部屋根板を構成する上記截頭略三角形状の曲板を、吊り具によって上記外槽側板上部に吊り込み、当該外槽側板上部と上記支持部材上部の間にアーチ状に設置し、上記外周部屋根板全体を構築後、当該外周部屋根板頂部に上記天頂部屋根板を載置し、当該天頂部屋根板と上記外周部屋根板を溶接接合して上記外槽屋根板全体を構築することを特徴とする。 
【００１５】
請求項２記載の縦置円筒形低温貯槽の外槽傘形屋根の施工方法は、
上記外周部屋根板の運搬、吊り上げ時において、
当該外周部屋根板を構成する上記截頭略三角形状の曲板の長手一方向中央部に曲率を保持する枠材を接合することを特徴とする。
【発明の効果】
【００１７】
請求項１の発明に係る縦置円筒形低温貯槽の外槽傘形屋根の施工方法は、
上部鏡板と中間胴板と下部鏡板とからなる内槽と、当該内槽の外側に位置する保冷層を介して囲繞する外槽屋根板と外槽側板と外槽底板とからなる外槽を有し、上記内槽及び外槽をスカートで基礎上に支持する縦置円筒形低温貯槽において、上記外槽屋根板は、最上部分に位置する天頂部屋根板と、当該天頂部屋根板を囲む残余の環状部分に位置する外周部屋根板とからなり、当該外周部屋根板は、長手一方向に沿って円弧状に曲げ加工した截頭略三角形状の曲板で、複数の当該曲板の隣接部が前記環状部分の曲率に沿う位置となるように溶接接合して前記外周部屋根板全体を多角形の環状体となるように形成し、前記天頂部屋根板の下部外周縁部と前記外周部屋根板の上部外周縁部を溶接接合することにより、外槽屋根板全体を多角形の傘形の外殻体に形成したことを特徴とする縦置円筒形低温貯槽の外槽傘型屋根の施工方法であって、
上記内槽の上部鏡板の天頂部に支持部材を載置し、上記外周部屋根板を構成する上記截頭略三角形状の曲板を、吊り具によって上記外槽側板上部に吊り込み、当該外槽側板上部と上記支持部材上部の間にアーチ状に設置し、上記外周部屋根板全体を構築後、当該外周部屋根板頂部に上記天頂部屋根板を載置し、当該天頂部屋根板と上記外周部屋根板を溶接接合して上記外槽屋根板全体を構築するので、外周部屋根板を吊り上げて、支持部材上部と外槽側板上部間に載置する際の位置合わせが容易になる。 
【００１８】
請求項２記載の縦置円筒形低温貯槽の外槽傘形屋根の施工方法は、
上記外周部屋根板の運搬、吊り上げ時において、
当該外周部屋根板を構成する上記截頭略三角形状の曲板の長手一方向中央部に曲率を保持する枠材を接合するので、外周部屋根板の所定の曲率を保持することが可能となる。 
【図面の簡単な説明】
【００２０】
【図１】この発明に係る縦置円筒形低温貯槽の外槽傘形屋根の実施形態例を示す全体縦断面説明図である。
【図２】図１の外槽屋根を示す平面説明図である。
【図３】図１の外槽屋根を示す斜視説明図である。
【図４】図３のＡ部を示す斜視図である。
【図５】図３のＢ部を示す斜視図である。
【図６】図３のＣ部を示す斜視図である。
【図７】外槽傘形屋根の外周部屋根板を製作する手順の第１事例で、長方形の平板から截頭略三角形状の平板を裁断する事例の斜視説明図である。
【図８】外槽傘形屋根の外周部屋根板を製作する手順の第１事例で、截頭略三角形状の平板を曲板に加工する事例の斜視説明図である。
【図９】外槽傘形屋根の外周部屋根板を製作する手順の第１事例で、截頭略三角形状の曲板の内面に内枠材を設ける事例の斜視説明図である。
【図１０】外槽傘形屋根の外周部屋根板を製作する手順の第２事例で、截頭略三角形状の平板を成型架台上で曲げ加工して外面に外枠材を取付けて吊上げ移動する事例の正面説明図である。
【図１１】外周部屋根板を吊り上げて貯槽上部で外槽屋根を組立構築する事例を示す正面説明図である。
【図１２】従来の縦置円筒形低温貯槽の第１事例を示す一部を欠如した縦断面説明図である。
【図１３】従来の縦置円筒形低温貯槽の第２事例を示す一部を欠如した縦断面説明図である。
【発明を実施するための形態】
【００２１】
この発明に係る縦置円筒形低温貯槽の外槽傘形屋根の実施形態について、図１乃至図１１を参照して説明する。
図１は縦置円筒形低温貯槽の全体縦断面を示し、図２乃至図６は外槽屋根部を示す。
図７から図９は外槽傘形屋根の外周部屋根板を製作する手順の事例で、図７は長方形の平板から截頭略三角形状の平板を裁断する段階、図８は截頭略三角形状の平板を曲板に加工する段階、図９は截頭略三角形状の曲板の内面に内枠材を設ける段階を示す。
図１０は外槽傘形屋根の外周部屋根板を製作する事例で、截頭略三角形状の平板を成型架台上で曲げ加工して外面に外枠材を取付けて吊上げ移動する状況を示す。
図１１は外周部屋根板を１枚ずつ吊り上げて貯槽上部で外槽屋根を組立構築する状況を示す。
【００２２】
図１は、低温液体を貯蔵する内槽１を設け、この内槽１を囲繞するように外槽２を設け、この内槽１と外槽２との間に保冷層３を設けた、二重殻構造の縦置円筒形低温貯槽の事例である。
図１の事例では、内槽１の側面下端部から垂直下方に延出して外槽２の外槽底板１１を貫通する円筒形状のスカート４で、基礎５の上に内槽１及び外槽２を支持している。
内槽１は、曲率半径Ｒ１を持つ半球形状の上部鏡板６と、円筒形状の中間胴板７と、半球形状の下部鏡板８とで形成する。
外槽２は、保冷層３を介して上部鏡板６を覆うように設ける、半球殻状で平面形状が多角形の傘形の外槽屋根板９と、円筒形状の外槽側板１０と、水平円板形状の外槽底板１１とで形成する。
また、上記内槽１と中心点を同じくする外槽屋根板９の環状部分の曲率半径をＲ２、天頂部を除いた外槽屋根板９自体の曲率半径をＲ３とする。
【００２３】
図２は、図１の外槽屋根を上方から見た平面説明図である。
外槽屋根板９は、最上部分に位置する天頂部屋根板９ａと、当該天頂部屋根板９ａを囲む残余の環状部分に位置する外周部屋根板９ｂとからなり、外周部屋根板９ｂは、天頂部屋根板９ａを囲む残余の環状部を同心円状に複数分割した截頭略三角形状の曲板の隣接する長辺を、内槽と中心点を同じくする前記外槽屋根板９の環状部分の曲率に沿う位置となるように溶接９ｂＷで接合して、多角形体になるように形成する。
外槽屋根板９は、屋根中心部に天頂部屋根板９ａを設け、その下部外周縁部に所定の曲率を有す外周部屋根板９ｂの上部外周縁部を溶接１８ａＷで取り付け、上記外周部屋根板９ｂ下部の直線状外周縁部を外槽側板１０のトップアングル１０ａ上面に搭載し、溶接１８ｂＷで接合することにより形成する。
図２は、天頂部屋根板９ａを多角形状に形成し、天頂部屋根板９ａの下部外周縁部と外周部屋根板９ｂの上部外周縁部を突合せ溶接１８ａＷで接合する事例であるが、天頂部屋根板９ａを円形状とし、天頂部屋根板９ａと外周部屋根板９ｂを重ねすみ肉溶接１８ａＷで接合することも可能である。
天頂部屋根板９ａは、円錐形状、平板形状、欠球形状等とし、種々の形状を採用可能である。
また、溶接９ｂＷ、１８ａＷ、１８ｂＷの溶接方法についても、突合せ溶接や重ねすみ肉溶接等、種々の方法を採用可能である。
【００２４】
図３は、図１の外槽屋根の斜視説明図である。
外槽屋根板９は、天頂部屋根板９ａ下部の外周縁部と所定の曲率を有す複数の外周部屋根板９ｂの直線状の上部外周縁部を溶接１８ａＷで接合するとともに、外周部屋根板９ｂ下部の直線状外周縁部を外槽側板１０のトップアングル１０ａ上面に搭載して溶接１８ｂＷで接合し、平面形状が多角形の傘形に形成する。
天頂部屋根板９ａは、外槽屋根板９の天頂部を形成する板であり、円錐形状、平板形状、欠球形状等とし、種々の形状を採用可能である。
外周部屋根板９ｂは、上記天頂部屋根板９ａの下部外周縁部に所定の曲率を有す外周部屋根板９ｂ上部外周縁部を溶接１８ａＷで取り付け、截頭略三角形状の平板を曲げ加工した複数の截頭略三角形状の曲板の両側の長辺が内槽と中心点を同じくする外槽屋根板９の環状部分の曲率に沿う位置となるように溶接９ｂＷで接合して平面形状が多角形の傘形になるように形成し、外槽側板１０のトップアングル１０ａ上面に搭載し、溶接１８ｂＷで接合する。
図３は、天頂部屋根板９ａを円形状に形成し、天頂部屋根板９ａの下部外周縁部と外周部屋根板９ｂの上部外周縁部を重ねすみ肉溶接１８ａＷで接合する事例であるが、天頂部屋根板９ａを多角形状とし、天頂部屋根板９ａと外周部屋根板９ｂを突合せ溶接１８ａＷで接合することも可能である。
溶接９ｂＷ、１８ａＷ、１８ｂＷの溶接方法は、突合せ溶接や重ねすみ肉溶接等とし、種々の方法を採用可能である。
上記の通り形成した外槽屋根板９は、欠球形状の屋根等と比べて傾斜があるため、雪が滑り落ちやすく、積雪しないため荷重に対しても有利である。
【００２５】
図４は、図３のＡ部を拡大して示す斜視図であり、天頂部屋根板９ａ下部外周縁部と外周部屋根板９ｂ上部外周縁部を溶接接合する状況を示す。
図４は、外槽屋根板９の天頂部屋根板９ａ下部の外周縁部と外周部屋根板９ｂ上部外周縁部相互を重ねすみ肉溶接１８ａＷで接合する事例を示すが、天頂部屋根板９ａと外周部屋根板９ｂは突合せ溶接等で接合することも可能である。
【００２６】
図５の上図は、図３のＢ部を拡大して示す斜視図であり、隣接する外周部屋根板９ｂの長辺相互を溶接９ｂＷで接合する状況を示す。
図５は、隣接する外周部屋根板９ｂの長辺相互を突合せ溶接９ｂＷで接合した事例を示し、外周部屋根板９ｂは、工場あるいは現場で所定の曲率を持たせるための曲げ加工を施し、該外周部屋根板９ｂの長辺は、隣接する外周部屋根板９ｂの長辺と突き合わせた際に、開先が内槽と中心点を同じくする外槽屋根の環状部分の曲率に沿う位置となり、ルート間隔Ｇが零または零に限りなく近い値となるように、上記外周部屋根板９ｂの上辺と下辺の同じ側の各一点を結んだ直線９ｂＳよりも外側に膨らみを設けた形状とする。
外周部屋根板９ｂを上記形状にすることにより、外周部屋根板９ｂ相互を適正な条件で突合せ溶接９ｂＷすることが可能となり、突合せ継手の品質が向上する。また、外周部屋根板９ｂ相互は、十分な重ね代が確保できるのであれば重ねすみ肉溶接で接合することも可能である。
また、プレス加工せずに外槽屋根板９を形成することが可能であり、従来の半球形状や欠球形状の外槽屋根板と比較して薄板を採用することが可能となるため、外槽屋根板の製作費と材料費を削減することが可能となる。
このように、外槽屋根板に薄板を採用することにより、外槽屋根板全体の重量が軽くなり、スカートへの荷重負担が低減され、貯槽全体の軽量化に加えて補強構造も簡素化することが可能となる。
【００２７】
図５のＸ-Ｙ断面図は、上図をＸ-Ｙ線上で切断した際の断面を示す図で、隣接する外周部屋根板９ｂの長辺相互を突合せ溶接９ｂＷで接合する事例を示す。                                                      
Ｘ-Ｙ断面図は、所定の曲率を持つ外周部屋根板９ｂ相互の長辺を突合せた際に、開先のルート間隔Ｇが零のＶ形開先となり、当該Ｖ形開先部を突合せ溶接９ｂＷすることによって、外周部屋根板９ｂ相互を接合している状況を示す。
Ｘ-Ｙ断面図に示す通り、外周部屋根板９ｂ相互は円弧状に接合せず、所定の角度を持つように接合する。
【００２８】
図６は、図３のＣ部を拡大して示す斜視図である。
外周部屋根板９ｂ下部の直線状の縁部を、外槽側板１０の上端に位置する幅広のトップアングル１０ａ上面に搭載し、溶接１８ｂＷで接合する。
【００２９】
図７から図９は、外槽傘形屋根の外周部屋根板を製作する手順の第１事例を示す。
図７は、長方形の平板９ｂ０から截頭略三角形状の平板９ｂ１を裁断する事例の斜視説明図である。
上記截頭略三角形状の平板９ｂ１は、截頭略三角形状の平板９ｂ１の上辺と下辺の同じ側の各一点を結んだ直線９ｂＳの外側に膨らみを持たせた形状とする。この截頭略三角形状の平板９ｂ１の長辺９ｂＬの膨らみ寸法は、該截頭略三角形状の平板９ｂ１を長手一方向に曲げ加工した後、この２枚の截頭略三角形状の平板９ｂ１の長辺９ｂＬ相互の位置が内槽と中心点を同じくする外槽屋根板の環状部分の曲率に沿う位置になり、適切な条件で溶接が可能になる寸法とする。
上記平板９ｂ１の各長辺９ｂＬの膨らみは、図７の事例で示す通り、上記平板９ｂ０を長手方向にｎ等分し、平板９ｂ１の上辺または下辺と水平なｎ個の直線Ｌ１からＬｎの長さを調整することにより形成することが可能である。また、図示はしないが、自在定規等を用いて平板９ｂ１の各長辺９ｂＬが所定の膨らみを持つよう罫書くことも可能である。
平板９ｂ０から截頭略三角形状の平板９ｂ１を製作する方法は、上記方法に限らず、種々の方法を採用することが可能である。
【００３０】
図８は、図７の截頭略三角形状の平板を曲板に加工する事例の斜視説明図である。
図８の截頭略三角形状の曲板９ｂ２は、図７の截頭略三角形状の平板を曲率半径Ｒ３で長手一方向に沿って円弧状に曲げ加工して成形する。
上記曲板９ｂ２の加工方法は、ベンディングロールによるロール曲げ等、種々の加工方法を採用可能である。
【００３１】
図９は、図８の截頭略三角形状の曲板の内面に内枠材を設ける事例の斜視説明図である。
図９は、図８の截頭略三角形状の曲板９ｂ２内側の長手一方向中央部に曲板９ｂ２の所定の曲率を保持する内枠材１２を取付けた状態を示す。この内枠材１２は、運搬時、組立時および完成後に截頭略三角形状の曲板９ｂ２の形状を保持する目的で取り付け、アングル材やチャンネル材等の成型鋼材で形成し、曲板９ｂ２の内側に設ける。
曲板９ｂ２の外側に外枠材を設けても良く、板の曲率保持や補強が更に必要な場合は、複数の枠材を曲板９ｂ２の内側または外側に配設しても良い。
上記図８および図９の截頭略三角形状の曲板９ｂ２は、プレス加工せずに製作可能であるため、従来の半球屋根や欠球屋根と比べて、薄い板厚の鋼板で製作することが可能となり、施工費や材料費をコストダウンすることが可能である。
このように、外槽屋根板に薄板を採用することにより、スカートへの荷重負担が低減され、貯槽全体の軽量化に加えて補強構造も簡素化することが可能となる。
【００３２】
図１０は、外槽傘形屋根の外周部屋根板を製作する手順の第２事例で、地盤１５上の成型架台１３上で截頭略三角形状の平板９ｂ１を曲げ加工し、所定の曲率を維持するための外枠材１４を取付けて吊り上げる状況を示す。
１３は外周部屋根板と同等の曲率半径Ｒ３を有する成型架台で、縦置円筒形低温貯槽近傍の地盤１５上に設置する。この成型架台１３の上に截頭略三角形状の平板９ｂ１を載置し、予め曲率半径Ｒ３に曲げ加工したアングル材やチャンネル材等の成型鋼材で形成する外枠材１４を成型架台１３上の前記平板９ｂ１の上から押し当て、成型架台１３上に沿わせて、前記平板９ｂ１から円弧状の曲板９ｂ２へ曲げ加工する。
その後、上記成型鋼材よりなる外枠材１４を上記曲板９ｂ２の外面へ溶接等で接合し、曲率半径Ｒ３を保持した上記曲板９ｂ２を、吊り具１６によって吊上げ移動し、縦置円筒形低温貯槽の外槽側板上部のトップアングル上面へ移設する。
上記施工方法は、貯槽近傍で容易に平板を曲板に加工することが可能であり、工場のロール等の作業を削減し、貯槽構築現場への板材の搬入が容易である。
【００３３】
外槽傘形屋根の外周部屋根板は、図７から図９に示した第１事例や図１０に示した第２事例の方法、手順に限らず、種々の方法、手順で製作が可能である。
【００３４】
図１１は、外周部屋根板を吊り上げて貯槽上部で外槽屋根を組立構築する事例を示す。
内槽の上部鏡板６の天頂部に破線で示す支持部材１７を載置し、外周部屋根板９ｂを構成する截頭略三角形状の曲板９ｂ２を、吊り具１６によって縦置円筒形低温貯槽の外槽側板１０上部に一枚ずつ吊り込み、外槽側板１０のトップアングル１０ａ上部と支持部材１７上部の間にアーチ状に設置する。外周部屋根板９ｂ全体を構築後、当該外周部屋根板９ｂ頂部に天頂部屋根板９ａを載置し、天頂部屋根板９ａと外周部屋根板９ｂを溶接接合して外槽屋根板９全体を構築する。
このように、支持部材１７を上部鏡板６上部に設けることにより、外周部屋根板９ｂを吊り上げて、支持部材１７上部とトップアングル１０ａ上部間に載置する際の位置合わせ
が容易になる。
支持部材１７は、外槽屋根板９構築後に外槽屋根板９の補強材として使用するか、あるいは、外槽屋根板９構築後に解体・撤去しても良く、その場合はセンターマンホール（図示せず）等から搬出する。
このように、外周部屋根板９ｂに内枠材１２または外枠材１４を溶接等で接合することにより、外周部屋根板９ｂの運搬、吊り上げ時において、外周部屋根板９ｂの所定の曲率を保持することが可能となる。
外槽屋根板９構築後に上記内枠材１２または外枠材１４を解体撤去せずに内外槽間または外槽外面に残した場合は、上記内枠材１２または外枠材１４を外槽屋根板９の補強材とすることが可能となる。
また、外槽屋根の構築方法は上記工法に限らず、外槽屋根板９を地盤上で一体化形成し、吊り上げる工法等を採用することも可能である。
【産業上の利用可能性】
【００３５】
この発明に係る縦置円筒形低温貯槽の外槽傘形屋根の施工方法は、縦置円筒形低温貯槽の外槽傘形屋根だけでなく、種々サイズの貯槽や建築物の屋根の施工方法に適用することが可能である。
【符号の説明】
【００３６】
１  内槽
２  外槽
３  保冷層
４  スカート
５  基礎
６  上部鏡板
７  中間胴板
８  下部鏡板
９  外槽屋根板
９ａ  天頂部屋根板
９ｂ  外周部屋根板
９ｂ０  平板
９ｂ１  截頭略三角形状の平板
９ｂ２  截頭略三角形状の曲板
９ｂＷ  外周部屋根板９ｂ相互の溶接
９ｂＳ  平板９ｂ１の上辺と下辺の同じ側の各一点を結んだ直線
９ｂＬ  平板９ｂ０または曲板９ｂ１の長辺
ｎ  平板９ｂ１の長手方向の等分数
Ｌ  平板９ｂ１の上辺または下辺と水平な直線
Ｓ  長辺９ｂＬを構成する直線
１０  外槽側板
１０ａ  トップアングル
１１  外槽底板
１２  内枠材
１３  成型架台
１４  外枠材
１５  地盤
１６  吊り具
１７  支持部材
１８ａＷ  天頂部屋根板９ａの下部外周縁部と外周部屋根板９ｂの上部外周縁部との溶接
１８ｂＷ  トップアングル１０ａ上部と外周部屋根板９ｂ下部外周縁部との溶接
Ｒ１  内槽１の曲率半径
Ｒ２  内槽１と中心点を同じくする外槽屋根板９の環状部分の曲率半径
（隣接する外周部屋根板９ｂの長辺９ｂＬ相互の位置の曲率半径）
Ｒ３  外周部屋根板９ｂ自体の曲率半径
Ｇ  外周部屋根板９ｂ相互の突合せ継手の開先のルート間隔
【図１】
0006508590.tif 000002
【図２】
0006508590.tif 000003
【図３】
0006508590.tif 000004
【図４】
0006508590.tif 000005
【図５】
0006508590.tif 000006
【図６】
0006508590.tif 000007
【図７】
0006508590.tif 000008
【図８】
0006508590.tif 000009
【図９】
0006508590.tif 000010
【図１０】
0006508590.tif 000011
【図１１】
0006508590.tif 000012
【図１２】
0006508590.tif 000013
【図１３】
0006508590.tif 000014